(57)【特許請求の範囲】
【請求項１】
撮影された被験者の肌の画像を用いて肌状態の解析を行う肌状態解析方法において、
前記画像から肌のキメ・毛穴、シミ、肌色、皮脂量の全てを同時に解析可能とする解析ステップと、
前記画像と前記解析ステップから得られる解析結果とを前記被験者の肌の測定日時や被験者情報に対応させて蓄積する蓄積ステップと、
前記蓄積ステップにより蓄積された前記被験者毎の前記画像と、該画像に対応する被験者情報と、前記解析ステップにより得られる肌のキメ・毛穴、シミ、肌色、及び皮脂量に対する解析結果と、前記肌のキメ・毛穴、前記シミ、前記肌色、及び前記皮脂量の解析結果のうち何れか１つの解析結果を表示する画面を選択する選択部とを、１画面上に表示させる画面を生成する表示画面生成ステップと、
前記表示画面生成ステップにより生成された情報を出力する出力ステップとを有し、
前記解析ステップは、
前記キメ・毛穴の解析結果として、キメの特徴を表す「皮丘の細かさ」、「皮丘の形状」、「皮溝の鮮明さ」、及び「毛穴の大きさ」のうち、少なくとも１つの情報について数値化を行い、前記シミの測定結果を画面に表示させ、前記肌色の解析結果として、校正板を用いて校正された画像のＲＧＢ値から、色相、明度、メラニン量、ヘモグロビン量のうち少なくとも１つを算出し、前記皮脂量の解析結果として、リピットマーカーで皮脂により変色した面積を数値化し、
前記表示画面生成ステップは、
前記１画面上に、前記キメ・毛穴の解析結果として、前記キメ・毛穴の測定画像と、キメの細かさ、キメの幅、キメの形状、キメの大きさとを表示させ、前記シミの解析結果として、前記シミ部分の測定画像を表示させ、前記肌色の解析結果として、明度及び色相に対応させた測定結果、メラニン量、及び、ヘモグロビン量をグラフ化により表示させ、前記皮脂量の解析結果として、皮脂量を数値及び／又はグラフ化により表示させる画面を生成し、
更に前記表示画面生成ステップは、
前記被験者の測定結果を予め蓄積された年齢別分布における評価結果に対応付けて表示させ、前記年齢別分布において、年齢別の肌状態を分類分けするための複数の評価範囲を設定し、設定された評価範囲と解析結果とを表示させることを特徴とする肌状態解析方法。
【請求項２】
前記表示画面生成ステップは、
前記被験者の最新の測定結果と前記蓄積ステップにより蓄積された過去の測定結果との中から複数の測定結果を経時的に表示させることを特徴とする請求項１に記載の肌状態解析方法。
【請求項３】
前記表示画面生成ステップは、
表示される時間軸の時間間隔を、前記測定回数又は実際の日時に対応させて表示することを特徴とする請求項２に記載の肌状態解析方法。
【請求項４】
撮影された被験者の肌の画像を用いて肌状態の解析を行う肌状態解析装置において、
前記画像から肌のキメ・毛穴、シミ、肌色、皮脂量の全てを同時に解析可能とする解析手段と、
前記画像と前記解析手段から得られる解析結果とを前記被験者の肌の測定日時や被験者情報に対応させて蓄積する蓄積手段と、
前記蓄積手段により蓄積された前記被験者毎の前記画像と、該画像に対応する被験者情報と、前記解析手段により得られる肌のキメ・毛穴、シミ、肌色、及び皮脂量に対する解析結果と、前記肌のキメ・毛穴、前記シミ、前記肌色、及び前記皮脂量の解析結果のうち何れか１つの解析結果を表示する画面を選択する選択部とを、１画面上に表示させる画面を生成する表示画面生成手段と、
前記表示画面生成手段により生成された情報を出力する出力手段とを有し、
前記解析手段は、
前記キメ・毛穴の解析結果として、キメの特徴を表す「皮丘の細かさ」、「皮丘の形状」、「皮溝の鮮明さ」、及び「毛穴の大きさ」のうち、少なくとも１つの情報について数値化を行い、前記シミの測定結果を画面に表示させ、前記肌色の解析結果として、校正板を用いて校正された画像のＲＧＢ値から、色相、明度、メラニン量、ヘモグロビン量のうち少なくとも１つを算出し、前記皮脂量の解析結果として、リピットマーカーで皮脂により変色した面積を数値化し、
前記表示画面生成手段は、
前記１画面上に、前記キメ・毛穴の解析結果として、前記キメ・毛穴の測定画像と、キメの細かさ、キメの幅、キメの形状、キメの大きさとを表示させ、前記シミの解析結果として、前記シミ部分の測定画像を表示させ、前記肌色の解析結果として、明度及び色相に対応させた測定結果、メラニン量、及び、ヘモグロビン量をグラフ化により表示させ、前記皮脂量の解析結果として、皮脂量が数値及び／又はグラフ化により表示させる画面を生成し、
更に前記表示画面生成手段は、
前記被験者の測定結果を予め蓄積された年齢別分布における評価結果に対応付けて表示させ、前記年齢別分布において、年齢別の肌状態を分類分けするための複数の評価範囲を設定し、設定された評価範囲と解析結果とを表示させることを特徴とする肌状態解析装置。
【請求項５】
前記表示画面生成手段は、
前記被験者の最新の測定結果と前記蓄積ステップにより蓄積された過去の測定結果との中から複数の測定結果を経時的に表示させることを特徴とする請求項４に記載の肌状態解析装置。
【請求項６】
前記表示画面生成手段は、
表示される時間軸の時間間隔を、前記測定回数又は実際の日時に対応させて表示することを特徴とする請求項５に記載の肌状態解析装置。
【請求項７】
請求項１乃至３の何れか１項に記載の肌状態解析方法を実行させるようにコンピュータを動作させることを特徴とする肌状態解析プログラム。
【請求項８】
請求項７に記載の肌状態解析プログラムが記録されたコンピュータ読み取り可能な記録媒体。
【発明の詳細な説明】
【技術分野】
【０００１】
本発明は、肌状態解析方法、肌状態解析装置、肌状態解析プログラム、及び該プログラムが記録された記録媒体に係り、特に肌状態の多角的な解析を高精度に行うための肌状態解析方法、肌状態解析装置、肌状態解析プログラム、及び該プログラムが記録された記録媒体に関する。
【背景技術】
【０００２】
従来、化粧カウンセリングや医療の分野において、皮膚の状態を解析するための様々な手法が提案されている。例えば、肌（皮膚）の小じわや毛穴、シミ、そばかす等といった肌の局部の表面状態をマイクロスコープ等で撮影し、撮影した内容を解析する手法がある（例えば、特許文献１，特許文献２等を参照。）。
【０００３】
特許文献１又は特許文献２に示される手法では、皮膚の観察部位に光を照射し、照射された局部の皮膚の画像を撮影する等の機能を有するマイクロスコープを用いて局部の画像を取得し、その取得した画像から皮膚の表面状態の解析を行うものである。
【特許文献１】特開２００３−２４２８３号公報
【特許文献２】特開平７−３２３０１３号公報
【発明の開示】
【発明が解決しようとする課題】
【０００４】
しかしながら、上述したようにマイクロスコープを装備した計測機器から取得した被験者の肌情報を用いて、肌の評価を高精度に行うために必要なキメや毛穴、シミ、肌色、皮脂量を解析し、数値化する解析装置は存在していなかった。また、解析結果を被験者やカウンセラー、医師等にわかり易く表示させることで多角的な解析・診断を行わせる手法についても提案されていなかった。
【０００５】
本発明は、上記の問題点に鑑みてなされたものであって、肌状態の多角的な解析を高精度に行うための肌状態解析方法、肌状態解析装置、肌状態解析プログラム、及び該プログラムが記録された記録媒体を提供することを目的とする。
【課題を解決するための手段】
【０００６】
上記課題を解決するために、本件発明は、以下の特徴を有する課題を解決するための手段を採用している。
【０００７】
請求項１に記載された発明は、撮影された被験者の肌の画像を用いて肌状態の解析を行う肌状態解析方法において、前記画像から肌のキメ・毛穴、シミ、肌色、皮脂量の全てを同時に解析可能とする解析ステップと、前記画像と前記解析ステップから得られる解析結果とを前記被験者の肌の測定日時や被験者情報に対応させて蓄積する蓄積ステップと、前記蓄積ステップにより蓄積された前記被験者毎の前記画像と、該画像に対応する被験者情報と、前記解析ステップにより得られる肌のキメ・毛穴、シミ、肌色、及び皮脂量に対する解析結果と、前記肌のキメ・毛穴、前記シミ、前記肌色、及び前記皮脂量の解析結果のうち何れか１つの解析結果を表示する画面を選択する選択部とを、１画面上に表示させる画面を生成する表示画面生成ステップと、前記表示画面生成ステップにより生成された情報を出力する出力ステップとを有し、前記解析ステップは、前記キメ・毛穴の解析結果として、キメの特徴を表す「皮丘の細かさ」、「皮丘の形状」、「皮溝の鮮明さ」、及び「毛穴の大きさ」のうち、少なくとも１つの情報について数値化を行い、前記シミの測定結果を画面に表示させ、前記肌色の解析結果として、校正板を用いて校正された画像のＲＧＢ値から、色相、明度、メラニン量、ヘモグロビン量のうち少なくとも１つを算出し、前記皮脂量の解析結果として、リピットマーカーで皮脂により変色した面積を数値化し、前記表示画面生成ステップは、前記１画面上に、前記キメ・毛穴の解析結果として、前記キメ・毛穴の測定画像と、キメの細かさ、キメの幅、キメの形状、キメの大きさとを表示させ、前記シミの解析結果として、前記シミ部分の測定画像を表示させ、前記肌色の解析結果として、明度及び色相に対応させた測定結果、メラニン量、及び、ヘモグロビン量をグラフ化により表示させ、前記皮脂量の解析結果として、皮脂量を数値及び／又はグラフ化により表示させる画面を生成し、更に前記表示画面生成ステップは、前記被験者の測定結果を予め蓄積された年齢別分布における評価結果に対応付けて表示させ、前記年齢別分布において、年齢別の肌状態を分類分けするための複数の評価範囲を設定し、設定された評価範囲と解析結果とを表示させることを特徴とする。
【０００８】
請求項１記載の発明によれば、肌のキメ・毛穴、シミ、肌色、皮脂量の解析結果から肌状態の多角的な解析を高精度に行うことができる。また、被験者の測定結果を他の同年代（同世代）のデータと対比させて表示することで、被験者に即した多角的な診断を行うことができる。また、肌状態を高精度に把握することができる。
【００１３】
請求項２に記載された発明は、前記表示画面生成ステップは、前記被験者の最新の測定結果と前記蓄積ステップにより蓄積された過去の測定結果との中から複数の測定結果を経時的に表示させることを特徴とする。
【００１４】
請求項２記載の発明によれば、経時的な状態の変化を正確に把握することができる。これにより、被験者に即した多角的な診断を行うことができる。
【００１５】
請求項３に記載された発明は、前記表示画面生成ステップは、表示される時間軸の時間間隔を、前記測定回数又は実際の日時に対応させて表示することを特徴とする。
【００１６】
請求項３記載の発明によれば、種々の時間表示が実現できる。また、実際の日時の経過を正確に把握することができるため、測定日以外の肌状態の推測を容易に行うことができる。
【００１７】
請求項４に記載された発明は、撮影された被験者の肌の画像を用いて肌状態の解析を行う肌状態解析装置において、前記画像から肌のキメ・毛穴、シミ、肌色、皮脂量の全てを同時に解析可能とする解析手段と、前記画像と前記解析手段から得られる解析結果とを前記被験者の肌の測定日時や被験者情報に対応させて蓄積する蓄積手段と、前記蓄積手段により蓄積された前記被験者毎の前記画像と、該画像に対応する被験者情報と、前記解析手段により得られる肌のキメ・毛穴、シミ、肌色、及び皮脂量に対する解析結果と、前記肌のキメ・毛穴、前記シミ、前記肌色、及び前記皮脂量の解析結果のうち何れか１つの解析結果を表示する画面を選択する選択部とを、１画面上に表示させる画面を生成する表示画面生成手段と、前記表示画面生成手段により生成された情報を出力する出力手段とを有し、前記解析手段は、前記キメ・毛穴の解析結果として、キメの特徴を表す「皮丘の細かさ」、「皮丘の形状」、「皮溝の鮮明さ」、及び「毛穴の大きさ」のうち、少なくとも１つの情報について数値化を行い、前記シミの測定結果を画面に表示させ、前記肌色の解析結果として、校正板を用いて校正された画像のＲＧＢ値から、色相、明度、メラニン量、ヘモグロビン量のうち少なくとも１つを算出し、前記皮脂量の解析結果として、リピットマーカーで皮脂により変色した面積を数値化し、前記表示画面生成手段は、前記１画面上に、前記キメ・毛穴の解析結果として、前記キメ・毛穴の測定画像と、キメの細かさ、キメの幅、キメの形状、キメの大きさとを表示させ、前記シミの解析結果として、前記シミ部分の測定画像を表示させ、前記肌色の解析結果として、明度及び色相に対応させた測定結果、メラニン量、及び、ヘモグロビン量をグラフ化により表示させ、前記皮脂量の解析結果として、皮脂量が数値及び／又はグラフ化により表示させる画面を生成し、更に前記表示画面生成手段は、前記被験者の測定結果を予め蓄積された年齢別分布における評価結果に対応付けて表示させ、前記年齢別分布において、年齢別の肌状態を分類分けするための複数の評価範囲を設定し、設定された評価範囲と解析結果とを表示させることを特徴とする。
【００１８】
請求項４記載の発明によれば、肌のキメ・毛穴、シミ、肌色、皮脂量の解析結果から肌状態の多角的な解析を高精度に行うことができる。また、被験者の測定結果を他の同年代（同世代）のデータと対比させて表示することで、被験者に即した多角的な診断を行うことができる。また、肌状態を高精度に把握することができる。
【００２３】
請求項５に記載された発明は、前記表示画面生成手段は、前記被験者の最新の測定結果と前記蓄積ステップにより蓄積された過去の測定結果との中から複数の測定結果を経時的に表示させることを特徴とする。
【００２４】
請求項５記載の発明によれば、経時的な状態の変化を正確に把握することができる。これにより、被験者に即した多角的な診断を行うことができる。
【００２５】
請求項６に記載された発明は、前記表示画面生成手段は、表示される時間軸の時間間隔を、前記測定回数又は実際の日時に対応させて表示することを特徴とする。
【００２６】
請求項６記載の発明によれば、種々の時間表示が実現できる。また、実際の日時の経過を正確に把握することができるため、測定日以外の肌状態の推測を容易に行うことができる。
【００２７】
請求項７に記載された発明は、請求項１乃至３の何れか１項に記載の肌状態解析方法を実行させるようにコンピュータを動作させることを特徴とする肌状態解析プログラムである。
【００２８】
請求項７記載の発明によれば、肌状態の多角的な解析を高精度に行うことができる。また、プログラムをインストールすることにより、汎用のパーソナルコンピュータ等で本発明における肌状態の解析を容易に実現することができる。
【００２９】
請求項８に記載された発明は、請求項７に記載の肌状態解析プログラムが記録されたコンピュータ読み取り可能な記録媒体である。
【００３０】
請求項８記載の発明によれば、記録媒体により他の複数のコンピュータに容易に肌状態解析プログラムをインストールすることができる。また、プログラムをインストールすることにより、汎用のパーソナルコンピュータ等で本発明における肌状態の解析を容易に実現することができる。
【発明の効果】
【００３１】
本発明によれば、肌状態の多角的な解析を高精度に行うことができる。
【発明を実施するための最良の形態】
【００３２】
以下に、本発明における肌状態解析方法、肌状態解析装置、肌状態解析プログラム、及び該プログラムが記録された記録媒体を好適に実施した形態について、図面を用いて説明する。
【００３３】
＜システム構成＞
図１は、本発明における肌状態解析システムの概略構成の一例を示す図である。図１に示す肌状態解析システム１０は、肌観察装置１１と、肌状態解析装置１２とを有するよう構成されており、肌観察装置１１及び肌状態解析装置１２は、インターネットやＬＡＮ（Ｌｏｃａｌ  Ａｒｅａ  Ｎｅｔｗｏｒｋ）等に代表される通信ネットワーク１３によりデータの送受信が可能な状態で接続されている。
【００３４】
肌観察装置１１は、例えばＣＣＤ（Ｃｈａｒｇｅ  Ｃｏｕｐｌｅｄ  Ｄｅｖｉｃｅ）カメラ等を用いて被験者の撮像等を行い、被験者の肌局部等の画像又は所定の大きさに拡大した拡大画像等を取得する。なお、本発明において顔や肌を撮影するための手法としては、例えばＳＭＡ（Ｓｋｉｎ  Ｍｉｃｒｏ  Ａｎａｌｙｚｅｒ）の皮膚拡大マイクロスコープシステムを用いることができ、また上述した特許文献１（特開２００３−２４２８３号公報）に示されている皮膚表面状態観察装置を用いることができるが、本発明においてはこれに限定されない。
【００３５】
また、肌観察装置１１は、キメ、毛穴、シミ、肌色、皮脂量のうち、少なくとも１つの情報を測定する。また、肌観察装置１１は、撮影した画像等の測定結果の各情報を通信ネットワーク１３を介して肌状態解析装置１２に送信する。
【００３６】
肌状態解析装置１２は、肌観察装置１１から送信された画像に基づいて、肌のキメ、シミ、肌色、皮脂量のうち少なくとも１つを解析し、その解析結果や撮影画像の観察だけでなく、年代分布や経時変化等を分析して表示画面に表示する。
【００３７】
なお、図１に示すシステム構成は、概略的に肌観察装置１１及び肌状態解析装置１２をそれぞれ１台有する構成となっているが、本発明においてはこれに限定されるものではなく、例えば肌観察装置１１及び／又は肌状態解析装置１２が複数台有するよう構成されていてもよい。また、肌観察装置１１における被験者の肌を撮像するための各構成を肌状態解析装置１２内に設けてもよく、肌状態を解析する基となる画像情報等が既に存在する場合には、肌観察装置１１を設けなくてよい。
【００３８】
なお、図１に示すような肌状態解析システム１０においては、肌観察装置１１での処理は、実際の肌診断における前処理であるため、例えば医療スタッフ等の医師を補助する者が行うことができる処理であり、肌観察装置１２における処理は、実際に肌診断を行う医師等が行うことができる処理である。
【００３９】
＜肌観察装置１１＞
次に、肌観察装置１１の機能構成例について図を用いて説明する。図２は、肌観察装置の機能構成の一例を示す図である。図２に示す肌観察装置１１は、入力手段２１と、出力手段２２と、メンバー管理手段２３と、送受信手段２４と、蓄積手段２５と、キメ・毛穴測定手段２６と、シミ測定手段２７と、肌色測定手段２８と、皮脂量測定手段２９と、制御手段３０とを有するよう構成されている。
【００４０】
入力手段２１は、使用者等からのカウンセリング等を行うメンバー（被験者）の登録や、測定実施日時の登録等を行う際の各種データの入力を受け付ける。また、入力手段２１は、使用者からの測定実施指示や肌状態解析装置１２へのデータの送信指示等を受け付ける。なお、入力手段２１は、例えばキーボードや、マウス等のポインティングデバイス等からなる。
【００４１】
また、出力手段２２は、入力手段２１により入力された内容や、入力内容に基づいて実行された内容等の表示・出力を行う。なお、出力手段２２は、ディスプレイやスピーカ等からなる。更に出力手段２２としてプリンタ等の機能を有していてもよく、その場合には、簡単な測定結果を紙等の印刷媒体に印刷して、ユーザに提供することもできる。
【００４２】
また、メンバー管理手段２３は、メンバーの個人情報及び測定回数等を管理する。具体的には、メンバー管理手段２３は、メンバーの登録を行ったり、既に登録され蓄積手段２５に蓄積されているメンバー情報や測定（撮影）結果等を呼び出し、参照、修正、削除等を行うことができる。
【００４３】
なお、メンバー情報として登録される内容としては、例えば各メンバーや測定内容等を識別するための「カルテＮｏ．」や、「氏名」、「生年月日」、「性別」、「測定部位」、「メモ（備考）」等がある。また、登録されるメンバー情報は、本発明においては特に制限されることはなく、例えば「生年月日」の変わりに「年代」を登録するような設定にしてもよい。また、メンバーを呼び出す場合には、上述した「カルテＮｏ．」や「氏名」等を用いる。
【００４４】
送受信手段２４は、肌観察装置１１と肌状態解析装置１２との間で通信ネットワーク１３を介してデータの送受信を行うための通信インターフェースである。したがって、肌観察装置１１は、送受信手段２４が肌状態解析装置１２からのメンバー情報や測定内容等の各種情報の取得要求を受信したり、入力手段２１により肌状態解析装置１２に各種情報の送信指示を受け付けたりした場合に、送受信手段２４により通信ネットワーク１３を介して肌状態解析装置１２に情報を送信する。
【００４５】
蓄積手段２５は、上述したメンバー管理手段２３により得られるメンバー情報や測定内容等の各種情報を蓄積する。また、蓄積手段２５は、キメ・毛穴測定手段２６、シミ測定手段２７、肌色測定手段２８、皮脂量測定手段２９から得られる各測定結果を測定日時情報やメンバー情報と関連付けて蓄積する。
【００４６】
次に、キメ・毛穴測定手段２６は、観察対象の皮膚の局部に入射した光の表面反射光を積極的に取得する光学系で撮影し、キメ・毛穴の画像データを取得する。具体的には、例えばマイクロスコープを用い、その構成としてキメ・毛穴の撮影のために皮膚表面の凹凸がはっきりわかるようにするため、鏡面反射光（照射する光と同じ偏光の光）を取得できるようＬＥＤ（Ｌｉｇｈｔ  Ｅｍｉｔｔｉｎｇ  Ｄｉｏｄｅ）とＣＣＤ（Ｃｈａｒｇｅ−Ｃｏｕｐｌｅｄ  Ｄｅｖｉｃｅｓ）の前に偏光フィルター等を設置する。これにより、表面反射光を積極的に取得することができる。なお、キメ・毛穴測定手段２６は、測定された画像データを蓄積手段２５により蓄積させる。
【００４７】
また、シミ測定手段２７は、観察対象の皮膚の局部に入射した光の内部拡散光を積極的に取得する光学系で撮影し、シミの画像データを取得する。具体的には、例えばマイクロスコープを用い、その構成としてシミの撮影のため、内部からの光を取得するために内部拡散光（照射する光と垂直の偏光の光）を取得できるように、ＬＥＤとＣＣＤの前に偏光フィルター等を設置する。これにより、内部拡散光を積極的に取得することができる。なお、シミ測定手段２７は、測定された画像データを蓄積手段２５により蓄積させる。
【００４８】
なお、キメ・毛穴測定手段２６とシミ測定手段２７では、それぞれ個別の偏光フィルターを設けているが、マイクロスコープに偏光フィルターをそれぞれ切り替え可能な機構を設けてもよい。この偏光フィルターの切り替えに関する手法としては、例えば上述した特許文献２（特開平７−３２３０１３号公報）に示されている手法を用いることができる。
【００４９】
また、肌色測定手段２８は、観察対象の皮膚の局部に入射した光に対して取得できる全ての光を取得する光学系で撮影し、肌色の画像データを取得する。なお、全ての光を取得とは、上述したキメやシミの撮影では鏡面反射や内部拡散光を積極的に取得する光学系を利用しているが、肌色の場合はフィルターを通さず肌から返ってきた光を全て受光する光学系を用いる。また、肌色測定手段２８は、肌の撮影を行うと共に撮影後の画像に対する色の校正を行うための校正板の撮影を行う。ここで、校正板とは、肌色の測定を行う度に色を校正するためのものであり、校正板のＲＧＢの値は予め設定されている。つまり、校正板を用いることで、ＣＣＤで受光して得られるＲＧＢ値を本来測色して得られるＲＧＢ値にするため、校正板を撮影してＣＣＤで受光して得られるＲＧＢ値から校正板本来のＲＧＢ値との関係式を作成し、その式で肌色の本来のＲＧＢ値へと校正している。なお、肌色測定手段２８における皮膚と校正板の撮影の順番はどちらでもよい。また、肌色測定手段２８は、測定された画像データを蓄積手段２５により蓄積させる。
【００５０】
また、皮脂量測定手段２９は、例えばリピットマーカーを測定部位に一定時間押し当て、その押し当てたリピットマーカーを撮影することで、皮脂量の測定を行う。なお、リピットマーカーとは、測定部位に接着させると皮膚上の皮脂を吸着し、吸着部分の色が変化するものである。このように、皮脂量測定手段２９により得られるリピットマーカーの色の変化に基づいて、マイクロスコープで撮影された画像から後述する肌解析装置１２により解析が行われ皮脂の吸着量の数値化が行われる。なお、皮脂量測定手段２９は、測定された画像データを蓄積手段２５により蓄積させる。
【００５１】
また、制御手段３０は、肌観察装置１１の各構成部全体の制御を行う。具体的には、例えば入力手段２１からの指示等に基づいて、使用者等からの測定開始指示に基づき、測定日時の設定や部位の決定指示に対応して対応する測定手段により測定を行わせ、その内容を蓄積手段２５への登録、測定した各種データを肌状態解析装置１２へ送信させる等の制御を行う。
【００５２】
＜肌状態解析装置１２＞
次に肌状態解析装置１２の機能構成例について図を用いて説明する。図３は、肌状態解析装置の機能構成の一例を示す図である。図３に示す肌状態解析装置１２は、入力手段４１と、出力手段４２と、メンバー管理手段４３と、送受信手段４４と、蓄積手段４５と、解析手段４６と、表示画面生成手段４７と、制御手段４８とを有するよう構成されている。
【００５３】
入力手段４１は、肌観察装置１１により取得し蓄積手段４５に蓄積されているメンバー情報の呼び出しや肌観察装置１１から得られた各種データを解析、評価を行うための指示を行ったり、評価された結果を表示させるための指示等を行う際の各種データの入力を受け付ける。なお、入力手段４１は、例えばキーボードや、マウス等のポインティングデバイス等からなる。
【００５４】
また、出力手段４２は、入力手段４１により入力された内容や、入力内容に基づいて実行された内容を表示する。なお、出力手段４２は、ディスプレイやスピーカ等からなる。更に出力手段４２としてプリンタ等の機能を有していてもよく、その場合には、簡単な測定結果を紙等の印刷媒体に印刷して、ユーザに提供することもできる。
【００５５】
また、メンバー管理手段４３は、メンバーの個人情報及び測定回数等を管理する。具体的には、メンバー管理手段４３は、メンバーの登録を行ったり、既に登録され蓄積手段４５に蓄積されているメンバー情報を呼び出し、参照、修正、削除等を行うことができる。なお、蓄積手段４５に蓄積されるメンバー情報は、上述した肌観察装置１１において登録される内容と略同様である。
【００５６】
送受信手段４４は、肌状態解析装置１２と肌観察装置１１との間で通信ネットワーク１３を介してデータの送受信を行うための通信インターフェースである。したがって、肌状態解析装置１２は、肌観察装置１１にて測定された各種の情報を通信ネットワーク１３を介して送受信手段４４から受信する。また、肌観察装置１１に各種情報の取得要求を行い、まだ送信されていない情報があれば、その情報を取得する。
【００５７】
また、蓄積手段４５は、肌観察装置１１から取得されるメンバー情報や各種測定内容等の各種情報、解析手段４６により解析された解析結果、表示画面生成手段４７に解析結果が表示され、カウンセラーや医師等により診断（評価）された結果等を蓄積する。なお、蓄積手段４５は、測定データや解析結果、評価結果等を測定日時情報及びメンバー情報に関連づけて蓄積する。
【００５８】
また、解析手段４６は、肌観察装置１１にて測定された、キメ・毛穴、シミ、肌色、皮脂量のそれぞれの測定結果に対して少なくとも１つの解析を行う。具体的には、解析手段４６は、キメ・毛穴の測定結果の入力に対して、キメの特徴を表す「皮丘の細かさ」、「皮丘の形状」、「皮溝の鮮明さ」、「毛穴の大きさ」のうち、少なくとも１つの情報について数値化を行う。なお、数値化の具体的な手法については、例えば、本出願人により出願された特願２００５−１３３２７５号に記載された手法を用いることができる。
【００５９】
特願２００５−１３３２７５号に記載された手法では、被験者の肌が撮影された画像からＲ成分、Ｇ成分、及びＢ成分を抽出し、抽出されたＲ成分と、Ｂ成分あるいはＧ成分とから毛穴画像を抽出する。また、毛穴画像から毛穴の大きさを数値化する。また、Ｇ成分から皮溝画像を抽出し、抽出された皮溝画像から皮溝の鮮明さを数値化する。更に、毛穴画像及び皮溝画像から皮丘画像を抽出し、抽出された皮丘画像から皮丘の細かさ及び／又は皮丘の形状を数値化する。
【００６０】
また、解析手段４６は、シミの測定結果に対しては、上述した数値化等の処理は行わず、表示画面生成手段４７においてシミの測定結果を画面に表示させ、カウンセラーや医師等に観察、評価させる。
【００６１】
また、解析手段４６は、肌色の測定結果に対して、校正板を用いて校正された画像のＲＧＢ値から、色相、明度、メラニン量、ヘモグロビン量のうち少なくとも１つを算出する。
例えば、色相、明度については、一般的な手法でＲＧＢ値からＨＬＳ（Ｈ：色相、Ｌ：明度：、Ｓ：彩度）値へ変換して、Ｈ（色相）とＶ（明度）を算出することができる。また、メラニン量とヘモグロビン量については、例えば、上述した特許文献１（特開２００３−２４２８３号公報）に記載された数式に基づいて、メラニン量、ヘモグロビン量を算出することができる。
【００６２】
また、解析手段４６は、皮脂量の測定結果に対して、リピットマーカーで皮脂により変色した面積を数値化する。なお、解析手段４６は、上述した解析結果を蓄積手段４５に蓄積する。
【００６３】
表示画面生成手段４７は、上述したキメ・毛穴、シミ、肌色、皮脂量のそれぞれに基づく解析結果を表示する画面を生成し、出力手段４２により出力させて、カウンセラーや医師等に肌状態の評価を行わせる。具体的には、表示画面生成手段４７は、キメ、毛穴の数値結果、シミの画像、肌色の数値結果、皮脂量の数値結果を一覧で表示するよう画面を生成し、出力手段４２により表示する。なお、表示画面生成手段４７は、キメ・毛穴、肌色、及び皮脂量については、最新の画像とその解析結果の他に、蓄積手段４５に蓄積された同一メンバーの同一箇所の測定履歴のうち、少なくとも１つの画像及びその解析結果を表示させるような画面を生成する。また、表示画面生成手段４７は、例えばシミについては最新の画像の他に、蓄積手段４５に蓄積された同一メンバーの同一箇所の測定履歴のうち少なくとも１つの画像を表示させるような画面を生成する。
【００６４】
また、表示画面生成手段４７は、キメ・毛穴、シミ、肌色、皮脂量について、予め蓄積された各年齢毎の分布データを作成し、その分布データ上に被験者の測定データを表示させる処理も行うことができる。これにより、年齢（年代、世代）毎の相対的な評価を行うことができる。更に、表示画面生成手段４７は、過去の測定結果を経過データとして経時的（時系列）に表示させるような画面を生成する。これにより、肌状態の経時的な変化や今後の肌状態の予想を高精度に行うことができる。
【００６５】
なお、表示画面生成手段４７は、表示された結果から評価したい領域を入力手段４１等によりカウンセラー等に選択させて、選択された領域におけるＲＧＢ値やＨＬＳ値等を解析手段４６により解析させて再表示することもできる。
【００６６】
例えば、シミの解析の場合は、まず、画像の中から解析領域が設定されることで、その領域内のＲ値（赤）、Ｇ値（緑）、Ｂ値（青）、Ｈ値（色相）、Ｌ値（明度）、Ｓ値（彩度）を測定し、その内容を過去の測定結果と共に表示することで、色の変化や明るさの変化を把握することができ、シミの評価を高精度に行うことができる。なお、表示画面生成手段４７により得られる出力画面例については後述する。
【００６７】
また、制御手段４８は、肌状態解析装置１２の各構成部全体の制御を行う。具体的には、例えば入力手段４１からの指示等に基づいて、肌観察装置１１からのメンバー情報や測定内容等の各種情報を送受信手段４４から受信させ、蓄積手段４５に各種情報を蓄積させ、また測定内容の解析や、表示出力等の各処理の制御を行う。
【００６８】
ここで、上述した肌状態解析装置１２は、上述した機能を有する専用の装置構成により制御を行うこともできるが、各機能をコンピュータに実行させることができる実行プログラムを生成し、例えば、汎用のパーソナルコンピュータ、サーバ等にその実行プログラムをインストールすることにより、本発明における肌状態解析処理を実現することができる。
【００６９】
＜ハードウェア構成＞
ここで、本発明における肌状態解析が実現可能なコンピュータのハードウェア構成例について図を用いて説明する。図４は、本発明における肌状態解析が実現可能なハードウェア構成の一例を示す図である。
【００７０】
図４におけるコンピュータ本体には、入力装置５１と、出力装置５２と、ドライブ装置５３と、補助記憶装置５４と、メモリ装置５５と、各種制御を行うＣＰＵ（Ｃｅｎｔｒａｌ  Ｐｒｏｃｅｓｓｉｎｇ  Ｕｎｉｔ）５６と、ネットワーク接続装置５７とを有するよう構成されており、これらはシステムバスＢで相互に接続されている。
【００７１】
入力装置５１は、ユーザが操作するキーボード及びマウス等のポインティングデバイスを有しており、ユーザからのプログラムの実行等、各種操作信号を入力する。出力装置５２は、本発明における処理を行うためのコンピュータ本体を操作するのに必要な各種ウィンドウやデータ等を表示するモニタを有し、ＣＰＵ５６が有する制御プログラムによりプログラムの実行経過や結果等を表示することができる。
【００７２】
ここで、本発明において、コンピュータ本体にインストールされる実行プログラムは、例えば、ＣＤ−ＲＯＭ等の記録媒体５８等により提供される。プログラムを記録した記録媒体５８は、ドライブ装置５３にセット可能であり、記録媒体５８に含まれる実行プログラムが、記録媒体５８からドライブ装置５３を介して補助記憶装置５４にインストールされる。
【００７３】
補助記憶装置５４は、ハードディスク等のストレージ手段であり、本発明における実行プログラムや、コンピュータに設けられた制御プログラム等を蓄積し必要に応じて入出力を行うことができる。
【００７４】
ＣＰＵ５６は、ＯＳ（Ｏｐｅｒａｔｉｎｇ  Ｓｙｓｔｅｍ）等の制御プログラム、及びメモリ装置５５により読み出され格納されている実行プログラムに基づいて、各種演算や各ハードウェア構成部とのデータの入出力等、コンピュータ全体の処理を制御して、肌状態解析等における各処理を実現することができる。プログラムの実行中に必要な肌測定結果等の各種情報等は、補助記憶装置５４から取得することができ、また実行結果等を格納することもできる。
【００７５】
ネットワーク接続装置５７は、通信ネットワーク等と接続することにより、実行プログラムを通信ネットワーク１３に接続されている他の端末等から取得したり、プログラムを実行することで得られた実行結果又は本発明における実行プログラム自体を他の端末等に提供することができる。上述したようなハードウェア構成により、本発明における肌状態解析処理を実行することができる。また、プログラムをインストールすることにより、汎用のパーソナルコンピュータ等で本発明における肌画像の解析を容易に実現することができる。次に、肌状態解析処理の具体的な内容について説明する。
【００７６】
＜肌状態解析処理手順＞
次に、本発明における肌状態解析システムの処理手順の一例についてフローチャートを用いて説明する。図５は、本発明における肌状態解析処理手順の一例を示すフローチャートである。なお、図５に示すフローチャートは、上述した肌観察装置１１及び肌状態解析装置１２における肌状態解析システムについての処理手順である。
【００７７】
図５に示すフローチャートでは、まず肌解析を行うにあたり、被験者がメンバー登録されているか否かを判断する（Ｓ０１）。ここで、メンバー登録されていない場合（Ｓ０１において、ＮＯ）、メンバーの登録を行う（Ｓ０２）。なお、登録されるメンバー情報としては、上述したメンバー管理手段２３で示したように、各測定内容を識別するための「カルテＮｏ．」や、「氏名」、「生年月日」、「性別」、「測定部位」、「メモ（備考）」等がある。また、登録されるメンバー情報は、本発明においては特に制限されることはなく、例えば「生年月日」の変わりに「年代」を登録するような設定にしてもよい。
【００７８】
また、Ｓ０１の処理において、メンバーが登録されているか否かを判断する場合は、蓄積手段に蓄積されている情報から「カルテＮｏ．」や「氏名」等を用いて検索することで、メンバーの登録の有無を確認することができる。
【００７９】
また、Ｓ０２の処理によるメンバーの登録後、又はメンバー情報が既に登録されている場合（Ｓ０１において、ＹＥＳ）、測定内容の設定を行う（Ｓ０３）。具体的には、上述したように、皮膚のキメ・毛穴、シミ、肌色、皮脂量の測定のうち少なくとも１つが設定された情報を取得する。
【００８０】
次に、Ｓ０３の処理において、取得した測定内容に基づく測定を行う（Ｓ０４）。なお、測定手法は、上述した肌観察装置１１で示した測定を実施する。なお、測定する際には、測定日時を取得しておき、その日時情報とメンバー情報と共に測定結果を蓄積する（Ｓ０５）。日時情報と共に蓄積することで、後述する評価処理において、メンバーの測定結果を経時的に表示することができる。これにより、肌状態の多角的な解析、評価を実現することができる。
【００８１】
次に、測定された結果に基づいて、皮膚のキメ・毛穴、シミ、肌色のうち、少なくとも１つの解析を行い（Ｓ０６）、その解析結果や測定結果の画像を所定の条件に基づき表示画面を生成（Ｓ０７）する。また、Ｓ０７の処理において、生成された画面をディスプレイ等の出力手段により表示して医師や被験者に提示する（Ｓ０８）。また、解析結果や評価結果を蓄積し（Ｓ０９）、処理を終了する。なお、上述したＳ０１〜Ｓ０９の処理において、Ｓ０１〜Ｓ０５を肌観察処理とし、Ｓ０６〜Ｓ０９を肌状態解析処理として、別プログラムとして個々の装置にインストールされてもよく、同一の装置にインストールされてもよい。つまり、肌の測定のみを行う場合には、Ｓ０１〜Ｓ０５までの処理を実行すればよく、測定結果が既に登録されている場合にはＳ０６〜Ｓ０９までの処理を行えばよい。
【００８２】
上述したように、本発明における肌状態解析処理により、結果値の算出や撮影画像の観察だけでなく、年代分布や経時分布の結果等の肌状態の多角的な解析を高精度に行うことができる。
【００８３】
＜表示画面例＞
次に、本発明における表示画面例について、図を用いて説明する。なお、以下に示す画面例は、例えばメインメニュー等を設けてその情報から選択することができる。また、各画面における表示項目の種類や表示レイアウトにおいては、本発明においては限定されるものではない。
【００８４】
＜メンバー管理画面＞
図６は、メンバー管理画面の一例を示す図である。図６に示すメンバー管理画面６０は、メンバー選択領域６１と、メンバー一覧表示領域６２と、備考内容表示領域６３とを有するよう構成されている。メンバー選択領域６１には、「カルテＮｏ．」、「氏名」、「性別」、「生年月日」、「測定部位」、「前回測定日」等の入力を行うことができる。また、メンバー選択領域には、「検索ボタン」、「クリアボタン」、「測定・解析ボタン」、「新規登録ボタン」、「修正ボタン」、「入れ替えボタン」等が設けられている。
【００８５】
まず、被験者のメンバー情報が含まれているかを確認する場合、例えば図６に示す「カルテＮｏ．」や「氏名」等を入力して「検索ボタン」を選択（クリック）する。もし登録されていれば、他の項目（「性別」、「生年月日」、「測定部位」、「前回測定日」等）が表示されるため、メンバー登録の有無を確認することができる。なお、「クリアボタン」は、検索の際、入力された「カルテＮｏ．」や「氏名」のデータをクリアにする。また、「測定・解析ボタン」は実際に肌の測定を行う場合に選択する。
【００８６】
また、上述したような検索をした結果、被験者がメンバー登録されていない場合、又は検索の結果、該当するメンバー情報がなかった場合には、その旨を示すメッセージを表示される。その場合には、例えば、上述した「カルテＮｏ．」、「氏名」、「性別」、「生年月日」、「測定部位」、「前回測定日」、及び備考内容表示領域６３に備考内容等を入力した後、新規登録を行うことで、メンバーとして新たに登録され、メンバー一覧表示領域６２に登録されたメンバー情報が表示される。なお、登録されたメンバー情報は、所定の項目を変更した後、「修正ボタン」を選択することで、メンバー情報を変更することができる。
【００８７】
なお、「入れ替えボタン」は、登録したメンバーが前回測定してからしばらくの間、診断に来なかった場合等に、蓄積手段に蓄積されているそのメンバーの情報をＣＤ−ＲＯＭやＤＶＤ等に移し替えるためのボタンである。また、メンバー管理画面６０は、メンバーの登録数を表示する登録数表示領域６４を設けていてもよく、またメインメニュー等があれば、メインメニューに戻るためのメインメニューボタン６５を設けていてもよい。
【００８８】
＜測定履歴一覧表示画面＞
図７は、測定履歴一覧表示画面の一例を示す図である。図７に示す測定履歴一覧表示画面７０は、メンバー情報表示領域７１と、測定履歴表示領域７２とを有するよう構成されている。メンバー情報表示領域７１は、その測定履歴に対応するメンバーの情報（「カルテＮｏ．」、「氏名」、「生年月日」、「性別」、「測定部位」等）が表示される。また、測定履歴表示領域７２には、測定日時に基づいて番号が付与された「履歴番号」及び「測定日」に対応させて、キメ・毛穴、シミ、肌色、皮脂の各測定のうち、実施した測定内容に「●」が表示される。これにより、いつどの測定を行ったかを容易に把握することができ、今回の測定内容の設定を履歴情報を参考に正確に行うことができる。なお、蓄積されるメンバー毎の履歴数については、特に限定されないが、所定数（例えば、最大１２履歴等）を設定してもよい。
【００８９】
＜総合結果表示画面＞
図８は、総合結果表示画面の一例を示す図である。ここで、図８に示す総合結果表示画面８０は、測定したキメ・毛穴（Ｓｋｉｎ  Ｔｅｘｔｕｒｅ）、シミ（Ｂｒｏｗｎ  Ｓｐｏｔｓ）、肌色（Ｓｋｉｎ  Ｔｏｎｅ）、皮脂量（Ｓｅｂｕｍ）の各解析結果を表示するものである。具体的には、例えば総合結果表示画面８０は、メンバー情報表示領域８１と、キメ・毛穴解析結果表示領域８２と、シミ解析結果表示領域８３と、肌色解析結果表示領域８４と、皮脂解析結果表示領域８５を有するよう構成されている。メンバー情報表示領域には、「結果表示日」、「カルテＮｏ．」、「氏名」、「測定日」、「備考」、「測定部位」等が表示されている。また、キメ・毛穴解析結果表示領域８２には、キメ・毛穴の測定画像と、キメの細かさ、キメの幅、キメの形状、キメの大きさ等が表示される。
【００９０】
また、シミ解析結果表示領域８３には、シミ部分の測定画像（局部画像又は局部拡大画像等）が表示される。また、肌色解析結果表示領域８４には、明度及び色相に対応させた測定結果やメラニン量、ヘモグロビン量がグラフ化されて表示される。更に、皮脂解析結果表示領域８５には、皮脂量が数値及び／又はグラフ化されて表示される。ここで、総合結果表示画面８０は、その測定日における測定項目で、測定していない項目がある場合、その項目は空欄で表示される。
【００９１】
また、総合結果表示画面８０には、タブ８６が設けられている。具体的には、総合結果タブ８６−１と、キメ・毛穴（Ｓｋｉｎ  Ｔｅｘｔｕｒｅ）タブ８６−２、シミ（Ｂｒｏｗｎ  Ｓｐｏｔｓ）タブ８６−３、肌色（Ｓｋｉｎ  Ｔｏｎｅ）タブ８６−４、皮脂量（Ｓｅｂｕｍ）タブ８６−５を設けており、各タブを選択することにより、それぞれの測定、解析結果に対応する詳細情報が表示される。また、総合結果表示画面８０には、図７に示すような測定履歴一覧表示画面７０に画面を遷移させる測定履歴選択画面ボタンやメインメニューに画面を遷移させるメインメニューボタン等が設けられていてもよい。
【００９２】
＜キメ・毛穴表示画面＞
図９は、キメ・毛穴表示画面の一例を示す図である。図９に示すキメ・毛穴表示画面９０は、測定日選択部９１と、画像表示領域９２と、解析結果表示領域９３と、各解析結果に対応した年齢分布表示領域９４−１〜９４−４とを有するよう構成されている。測定日選択部９１は、コンボボックス等からなり、今回の測定分も含めて今まで測定した履歴の中から所望する測定日の結果に基づくキメ・毛穴解析結果を選択することができる。
【００９３】
測定選択部９１により測定日が設定されると、対応する測定画像が画像表示領域９２に表示されると共に、キメの細かさ、キメの鮮明さ、キメの形状、毛穴の大きさを解析し数値化された解析結果を解析結果表示領域９３に表示する。
【００９４】
更に、キメ・毛穴年齢分布表示画面９０は、キメの細かさ、キメの鮮明さ、キメの形状、毛穴の大きさのそれぞれに対して、被験者の年齢に対応する解析結果を年齢分布表示領域９４−１〜９４−４に対応させて表示する。なお、年齢分布表示領域９４−１〜９４−４の横軸は年齢を示し縦軸はそれぞれ対応する評価の値を示している。ここで、年齢分布表示領域９４−１〜９４−４には、それぞれ評価結果を分類する少なくとも１つの評価範囲を示すゾーンが表示されている。このゾーンは、予め蓄積された年齢別の評価結果に基づいて、設定された評価結果の範囲を示すものであり、例えば、「良好ゾーン」、「普通ゾーン」、「あと一歩ゾーン」、「頑張りましょうゾーン」、「赤みゾーン」、「黄みゾーン」等に所定の分類で分類分けされて表示されている。したがって、被験者が同年代と比較してどの状態にあるかを正確に把握することができる。
【００９５】
なお、このゾーンは色分けされて表示されてもよく、斜線や網線等により表示されていてもよい。また、ゾーンの設定には、所定の関数等を用いて設定することが好ましい。これにより、高精度なゾーンの設定を行うことができる。例えば、このゾーンの設定として各年代毎の６７％の人がいる平均値±標準偏差のゾーンと、９５％の人が存在する平均値±１．９５×標準偏差のゾーンを分けて表示することができる。
【００９６】
なお、キメ・毛穴年齢分布表示画面９０は、戻るボタン９５や次へボタン９６を設けることにより、タブ８６−１〜８６−５を選択することなく、タブ８６−１〜８６−５に示される各解析結果表示画面に遷移させることができる。
【００９７】
＜キメ・毛穴表示画面：他の例＞
また、図１０は、キメ・毛穴経過表示画面の他の例を示す図である。図１０に示すように、年齢分布表示領域９４−１〜９４−４の代わりに、測定経過表示領域９７−１〜９７−４を設けることにより、他の履歴情報も閲覧することができる。ここで、測定経過表示領域の横軸は日付を示し、縦軸は各解析結果の値に対応して設定されている。また、図１０に示す横軸の日付のメモリ幅は、測定回数で均等な幅に区切って示しているが、本発明においては、この限りではなく、日付基準に幅を設定することで、測定していない日における肌の状態をその前後の測定日に測定した結果から推定することができる。これにより、いままでの肌の経時的な状態や、今後の予想を高精度に行うことができる。なお、画面の表示例としてはこの限りではなく、例えば、年齢分布表示領域９４と測定経過表示領域９７とを両方１画面上に表示させてもよい。
【００９８】
＜シミ表示画面＞
図１１は、シミ表示画面の一例を示す図である。図１１に示すシミ表示画面１００は、測定日選択部１０１と、画像表示領域１０２と、ＲＧＢ値表示部１０３と、ＨＬＳ値表示部１０４とを有するよう構成されている。ここで、画像表示領域１０２のうち、シミがある等、所定の位置を選択することにより、その部分を中心とした所定の径の正円領域１０５に対するＲＧＢ値及びＨＬＳ値がそれぞれＲＧＢ値表示部１０３及びＨＬＳ値表示部１０４に表示される。なお、上述した領域は正円に限定されず、楕円や多角形でもよい。
【００９９】
なお、シミ表示画面１００は、測定履歴の中から複数の評価結果を表示することができる。これにより、シミの経時的な評価を１つの画面で行うことができる。
【０１００】
＜肌色表示画面＞
図１２は、肌色表示画面の一例を示す図である。図１２に示す肌色表示画面１１０は、
測定日選択部１１１と、明度・色相相関表示領域１１２と、解析結果表示領域１１３と、各解析結果に対応した年齢分布表示領域１１４−１〜１１４−４とを有するよう構成されている。測定日選択部１１１は、コンボボックス等からなり、今まで測定した履歴の中から所望する測定日の結果に基づく肌色解析結果を選択する。
【０１０１】
測定選択部１１１により測定日が設定されると、対応する明度・色相相関関係に対して明度・色相相関表示領域１１２に表示される。なお、明度・色相相関表示領域１１２には、明度及び色相の相関関係が良好とされる良好領域１１５が色分け又は斜線等により区別されて表示されているため、被験者の解析結果１１６がどの位置に属するかを正確に把握することができる。また、色相（ＹＲ）、明度、メラニン、ヘモグロビンのそれぞれの評価結果が解析結果表示領域１１３に表示される。
【０１０２】
更に、肌色表示画面１１０は、色相、明度、メラニン、ヘモグロビンのそれぞれの評価結果に対して、被験者の年齢に対応する評価結果１１６を年齢分布表示領域１１４−１〜１１４−４に対応させて表示する。なお、年齢分布表示領域１１４−１〜１１４−４の横軸は年齢を示し縦軸はそれぞれ対応する評価結果の値を示している。ここで、年齢分布表示領域１１４−１〜１１４−４には、上述したように、それぞれ評価結果を分類するゾーンが表示されている。したがって、被験者が同年代と比較してどの状態にあるかを正確に把握することができる。
【０１０３】
また、図１３は、肌色表示画面の他の例を示す図である。図１３に示すように、測定日選択部１１１及び解析結果表示領域１１３を履歴情報に基づいて複数（２以上）設け、それぞれの評価結果１１６−１，１１６−２を明度・色相相関表示領域１１２に表示させてもよい。更に、メラニン・ヘモグロビンの相関表示領域１１７を設けてもよく、そのメラニン・ヘモグロビンの相関表示領域１１７にそれぞれの評価結果１１６−１、１１６−２を表示させてもよい。なお、これらの評価結果は、色分け又は斜線等により区別されて表示される。これにより、経時的な肌色評価を行うことができる。
【０１０４】
＜皮脂量表示画面＞
図１４は、皮脂量表示画面の一例を示す図である。図１４に示す皮脂量表示画面１２０は、少なくとも１つの測定日を選択する測定日選択部１２１と、皮脂量表示部１２２と、皮脂量表示領域１２３と、年齢分布表示領域１２４と、測定経過表示領域１２５とを有するように構成されている。皮脂量表示画面１２０に示すように、上述した年齢分布表示領域１２４と、測定経過表示領域１２５を両方同時に表示させることもできる。また、皮脂量表示領域１２３には、皮脂量を表示することができる。
【０１０５】
図１４に示すように、皮脂量においては、経時的な情報を表示させることで、高精度な肌診断を行うことができる。
【０１０６】
上述した画面例は一例であり、上述した各画面における項目を組み合わせて他の画面構成を形成してもよい。これにより、経時的な情報を明確に表示させることで、高精度な肌診断を行うことができる。
【０１０７】
上述したように、本発明によれば、肌状態の多角的な解析を高精度に行うことができる。
【０１０８】
なお、上述した肌状態解析システムは、特に肌のキメ、毛穴、シミ、肌色、皮脂量を解析、評価するものであるが、上述したように経時的に解析、評価結果を表示する手法においては、肌のくすみやしわ、肌の弾力、色素の沈着状態等を解析してこれらの解析結果と本発明における肌状態解析結果とを組み合わせて肌状態の診断等を行ってもよい。
【０１０９】
このように、本発明を適用することにより、例えば、医療や化粧品の販売等において、専門家に限らず、本発明における数値等で表現された解析結果や経時的に表示された内容を用いて均一的に高精度な肌診断又は美容カウンセリング等を実現することができる。また、本発明における肌状態解析の手法を被験者自らがセルフチェックを行う装置等に適用することもできる。
【０１１０】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【０１１１】
【図１】本発明における肌状態解析システムの概略構成の一例を示す図である。
【図２】肌観察装置の機能構成の一例を示す図である。
【図３】肌状態解析装置の機能構成の一例を示す図である。
【図４】本発明における肌状態解析が実現可能なハードウェア構成の一例を示す図である。
【図５】本発明における肌状態解析処理手順の一例を示すフローチャートである。
【図６】メンバー管理画面の一例を示す図である。
【図７】測定履歴一覧表示画面の一例を示す図である。
【図８】総合結果表示画面の一例を示す図である。
【図９】キメ・毛穴表示画面の一例を示す図である。
【図１０】キメ・毛穴経過表示画面の他の例を示す図である。
【図１１】シミ表示画面の一例を示す図である。
【図１２】肌色表示画面の一例を示す図である。
【図１３】肌色表示画面の他の例を示す図である。
【図１４】皮脂量表示画面の一例を示す図である。
【符号の説明】
【０１１２】
１０  肌状態解析システム
１１  肌観察装置
１２  肌状態解析装置
１３  通信ネットワーク
２１，４１  入力手段
２２，４２  出力手段
２３，４３  メンバー管理手段
２４，４４  送受信手段
２５，４５  蓄積手段
２６  キメ・毛穴測定手段
２７  シミ測定手段
２８  肌色測定手段
２９  皮脂量測定手段
３０，４８  制御手段
４６  解析手段
４７  表示画面生成手段
５１  入力装置
５２  出力装置
５３  ドライブ装置
５４  補助記憶装置
５５  メモリ装置
５６  ＣＰＵ
５７  ネットワーク接続装置
５８  記録媒体
６０  メンバー管理画面
６１  メンバー選択領域
６２  メンバー一覧表示領域
６３  備考内容表示領域
６４  登録数表示領域
６５  メインメニューボタン
７０  測定履歴一覧表示画面
７１，８１  メンバー情報表示領域
７２  測定履歴表示領域
８０  総合結果表示画面
８２  キメ・毛穴解析結果表示領域
８３  シミ解析結果表示領域
８４  肌色解析結果表示領域
８５  皮脂解析結果表示領域
８６  タブ
９０  キメ・毛穴表示画面
９１  測定日選択部
９２  画像表示領域
９３，１１３  解析結果表示領域
９４，１１４，１２４  年齢分布表示領域
９５  戻るボタン
９６  次へボタン
９７，１２５  測定経過表示領域
１００  シミ表示画面
１０１，１１１，１２１  測定日選択部
１０２  画像表示領域
１０３  ＲＧＢ値表示部
１０４  ＨＬＳ値表示部
１０５  正円領域
１１０  肌色表示画面
１１２  明度・色相相関表示領域
１１５  良好領域
１１６  解析結果
１１７  メラニン・ヘモグロビンの相関表示領域
１２０  皮脂量表示画面
１２２  皮脂量表示部
１２３  皮脂量表示領域
【図１】
0004717595.tif 000002
【図２】
0004717595.tif 000003
【図３】
0004717595.tif 000004
【図４】
0004717595.tif 000005
【図５】
0004717595.tif 000006
【図６】
0004717595.tif 000007
【図７】
0004717595.tif 000008
【図１２】
0004717595.tif 000009
【図１３】
0004717595.tif 000010
【図１４】
0004717595.tif 000011
【図８】
0004717595.tif 000012
【図９】
0004717595.tif 000013
【図１０】
0004717595.tif 000014
【図１１】
0004717595.tif 000015